(57)【特許請求の範囲】
【請求項１】
壁板又は床板に形成されたガス栓取付用孔内に落とし込んで固定されるケーシングと、
前記ケーシングの底壁を貫通した状態で固定されるガス栓本体と、
前記ケーシングの開放端から半径方向外側に張り出すと共に、前記ガス栓取付用孔周辺の壁板又は床板の表面に添設される鍔部と、
前記ガス栓取付用孔周辺の壁板又は床板の裏面に添設される添設板と、
前記鍔部及び添設板を貫通し且つ前記ケーシングの周壁側へ揺動可能な締付けネジとを有し、
前記締付けネジを締め付けることにより、前記鍔部と前記添設板とで、前記ガス栓取付用孔の周辺の壁板又は床板を表裏から挟圧する形式の埋設式ガス栓の取付構造において、
添設板の一辺から、添設板に対して直角方向にガイド板を延設させて断面略Ｌ字状の揺動金具が形成され、
締付けネジのネジ軸はケーシングの深さよりも長く設定され、
前記ネジ軸に、前記揺動金具を抜け止め状態に支持し且つ締付けネジの締め付けに伴って鍔部側へ移動可能なナット金具が螺合され、
前記ナット金具が締付けネジのネジ軸の先端近傍に位置するとき、ガイド板がケーシングの底壁の裏面に略平行に位置し且つ添設板が前記底壁の周縁より外側にてネジ軸の先端に向く挿入姿勢に保持されるように揺動金具を付勢する付勢手段が設けられ、
締付けネジが締付けられると、揺動金具は、ナット金具の移動に伴って、前記付勢手段の付勢力に抗して９０度回動し、ガイド板がケーシングの周壁に沿い且つ添設板が鍔部の裏側に略平行に位置する取付姿勢となる埋設式ガス栓の取付構造。
【請求項２】
請求項１に記載の埋設式ガス栓の取付構造において、前記ガイド板の両側辺からガイド板に対して直角に且つ前記添設板と同じ方向に突出する一対の耳部が設けられ、
各耳部の先端近傍に係止孔が貫通し、
前記付勢手段は、前記ガス栓本体のうちケーシングの底壁から外方に突出している部分に一回以上巻回させてなるコイル部と、前記コイル部の両端に延長し且つ前記ガス栓本体から離反する方向に引っ張られることにより前記コイル部を弾性的に縮径させる一対の腕部とからなる金属線バネとし、
前記腕部の先端は前記耳部の係止孔にそれぞれ係止されている埋設式ガス栓の取付構造。
【請求項３】
請求項１又は２に記載の埋設式ガス栓の取付構造において、前記ケーシングは略円筒状に形成されると共に、その周壁のうち、対向する両側壁に、相互に平行に位置する平面部が形成され、この平面部側に位置する前記鍔部の各位置に前記締付けネジを挿通させるネジ挿通孔がそれぞれ形成され、
一対の締付けネジの各々に前記揺動金具と前記付勢手段を具備させている埋設式ガス栓の取付構造。
【請求項４】
請求項３に記載の埋設式ガス栓の取付構造において、前記ケーシングの深さ方向に沿った前記平面部の中心線上に、締付けネジのネジ軸が嵌入可能な凹溝が形成されると共に、前記ガイド板の前記平面部に沿う側の面に、前記凹溝に摺動可能に嵌り込む凸条が形成されている埋設式ガス栓の取付構造。
【請求項５】
請求項１から４のいずれかに記載の埋設式ガス栓の取付構造において、ケーシングの底壁にガス栓本体を挿通させるためのガス栓挿通孔が形成され、前記ガス栓本体を取り付けるためのガス栓取付部は、前記ガス栓本体と前記ガス栓挿通孔との隙間を閉塞するように、前記ケーシングの底壁に設けられる埋設式ガス栓の取付構造。
【発明の詳細な説明】
【技術分野】
【０００１】
この発明は、壁板又は床板に埋設させる形式の埋設式ガス栓の取付構造に関する。
【背景技術】
【０００２】
壁裏又は床下に埋設させる埋設式ガス栓の取付構造として、実開平５−５０２６５号公報（特許文献１）に開示のものを考案した。
このものでは、図５及び図６に示すように、床板(4)に開けたガス栓取付用孔(40)から、床下に既設のガス配管(41)を室内へ引き出すと共に、これを、予めケーシング(30)内に固定させたガス栓本体(3)に接続し、その後、ガス配管(41)と共に、ガス栓本体(3)を収納させたケーシング(30)をガス栓取付用孔(40)内に落とし込んで、ガス栓取付用孔(40)の周辺の床板(4)に固定させる。
ケーシング(30)の上方開放端には、床板(4)の表面側からガス栓取付用孔(40)の周辺に係止させる鍔部(31)が張り出している。また、床面(4)の裏面側には添設板(32)が設けられている。これら鍔部(31)と添設板(32)とで床板(4)のガス栓取付用孔(40)の周辺を表裏から挟み込み、添設板(32)に螺合させた締付けネジ(36)で締付けることにより、床板(4)は、鍔部(31)と添設板(32)とによって表裏から挟圧されて、ケーシング(30)はガス栓取付用孔(40)内に取り付けられる。
【０００３】
添設板(32)付きの締付けネジ(36)は、鍔部(31)の対向する各位置にそれぞれ設けられており、ケーシング(30)をガス栓取付用孔(40)内に落とし込む際に、添設板(32)が邪魔にならないように、ケーシング(30)の周壁のうち、添設板(32)付きの締付けネジ(36)を具備させた側の両側壁に、図６に示すように、締付けネジ(36)の軸部が挿通可能な縦孔(33a)と、これに連続し且つ添設板(32)が挿通可能な横孔(33b)からなる逆Ｔ字状の逃がし孔(33)が形成されている。
【０００４】
このように、従来の埋設式ガス栓の取付構造では、ケーシング(30)に逃がし孔(33)が貫通形成されているため、室内と壁板又は床板(4)の裏側とが逃がし孔(33)を介して連通する構造となっている。このため、ガス栓本体(3)のプラグ筒(3a)にソケット（図示せず）を接続させる際に、ガス栓取付用孔(40)を閉塞するように取付られる化粧板（図示せず）の開閉扉を開くと、壁板や床板(4)の裏側の冷気が室内に流れ込み、冬季においては室内の温度を低下させてしまうといった不都合があった。
【０００５】
この不都合を解消するために、この考案のものでは、図５に示すように、気密シート(S)で、ケーシング(30)の内面を覆うことで、ケーシング(31)の内外の通気を遮断し、壁板や床板(4)の裏側の冷気が逃がし孔(33)から室内へ侵入するのを防止している。
【先行技術文献】
【特許文献】
【０００６】
【特許文献１】実開平５−５０２６５号公報
【発明の概要】
【発明が解決しようとする課題】
【０００７】
しかしながら、気密シート(S)を、ケーシング(30)の内面や底面又はガス栓本体(3)の基部(3b)に密着させて設置することは難しく、気密シート(S)が、前記開閉蓋の開閉動作や、プラグ筒(3a)へのソケットの脱着操作の妨げとなって円滑に作業できない不都合があったり、気密シート(S)の装着作業が面倒で手間取ったり、さらには、気密シート(S)が不用意に破れた場合、ケーシング(30)の内外の空気が連通してしまうといった不都合がある。
【０００８】
本発明は、上記課題を解決するために講じたものであり、『壁板又は床板に形成されたガス栓取付用孔内に落とし込んで固定されるケーシングと、
前記ケーシングの底壁を貫通した状態で固定されるガス栓本体と、
前記ケーシングの開放端から半径方向外側に張り出すと共に、前記ガス栓取付用孔周辺の壁板又は床板の表面に添設される鍔部と、  
前記ガス栓取付用孔周辺の壁板又は床板の裏面に添設される添設板と、
前記鍔部及び添設板を貫通し且つ前記ケーシングの周壁側へ揺動可能な締付けネジとを有し、
前記締付けネジを締め付けることにより、前記鍔部と前記添設板とで、前記ガス栓取付用孔の周辺の壁板又は床板を表裏から挟圧する形式の埋設式ガス栓の取付構造』において、ケーシングの周壁に締付けネジや添設板を逃がすための逃がし孔等を設けることなく、ケーシングを締付けネジや添設板と共にガス栓取付用孔内に容易に落とし込んで固定することができる埋設式ガス栓の取付構造を提供することを課題とする。
【課題を解決するための手段】
【０００９】
上記課題を解決するために講じた本発明の埋設式ガス栓の取付構造は、『添設板の一辺から、添設板に対して直角方向にガイド板を延設させて断面略Ｌ字状の揺動金具が形成され、
締付けネジのネジ軸はケーシングの深さよりも長く設定され、
前記ネジ軸に、前記揺動金具を抜け止め状態に支持し且つ締付けネジの締め付けに伴って鍔部側へ移動可能なナット金具が螺合され、
前記ナット金具が締付けネジのネジ軸の先端近傍に位置するとき、ガイド板がケーシングの底壁の裏面に略平行に位置し且つ添設板が前記底壁の周縁より外側にてネジ軸の先端に向く挿入姿勢に保持されるように揺動金具を付勢する付勢手段が設けられ、
締付けネジが締付けられると、揺動金具は、ナット金具の移動に伴って、前記付勢手段の付勢力に抗して９０度回動し、ガイド板がケーシングの周壁に沿い且つ添設板が鍔部の裏側に略平行に位置する取付姿勢となる』ことを特徴とする。
【００１０】
上記手段は次のように作用する。
ケーシングの底壁を貫通するようにガス栓本体を取り付けると共に、壁板又は床板に開けられたガス栓取付用孔から、その裏側に予め配設されているガス配管を室内へ引き出して前記ガス栓本体に接続させる。ケーシングの鍔部の所定位置に締付けネジを貫通させた後、そのネジ軸に断面略Ｌ字状の揺動金具を挿通させ、さらに、ナット金具を螺合させる。
ネジ軸の長さはケーシングの深さよりも長く設定されているから、ナット金具をネジ軸の先端に位置させれば、揺動金具は、ケーシングの底壁を超えた位置でナット金具により抜け止め状態に保持される。このとき、揺動金具は、ガイド板がケーシングの底壁の裏面に略平行に位置し且つ添設板がケーシングの底壁の周縁よりも外側にてネジ軸の先端側へ向く挿入姿勢に保持されるように、付勢手段によって付勢され、これに伴い、締付けネジも、ケーシングの周壁側（内側）に揺動させられた姿勢となる。
前記付勢手段の付勢力によって揺動金具を前記挿入姿勢に保持し、締付けネジをケーシングの周壁側に揺動させた状態に保持した状態で、ケーシングを、締付けネジ、揺動金具及びナット金具と共にガス栓取付用孔に挿入し、鍔部をその周辺の壁板又は床板の表面に添設させる。
【００１１】
鍔部をガス栓取付用孔の周辺の壁板又は床板の表面に添設させた後、締付けネジを締付けると、揺動金具は、ネジ軸を鍔部側へ移動するナット金具によって押されることにより、付勢手段の付勢力に抗して９０度回動し、締付けネジを外側に揺動させてケーシングの周壁に沿わせると共に、ガイド板がケーシングの周壁に沿い且つ添設板が鍔部に略平行な取付姿勢となる。その後、締付けネジを最終締め付け状態に達するまで締付けると、添設板はガス栓取付用孔の周辺の壁板又は床板の裏面に当接し、添設板と鍔部とで前記壁板又は床板を表裏から挟圧する態様で、ケーシングはガス栓取付用孔内に固定される。
【００１２】
上記埋設式ガス栓の取付構造において、『前記ガイド板の両側辺からガイド板に対して直角に且つ前記添設板と同じ方向に突出する一対の耳部が設けられ、
各耳部の先端近傍に係止孔が貫通し、
前記付勢手段は、前記ガス栓本体のうちケーシングの底壁から外方に突出している部分に一回以上巻回させてなるコイル部と、前記コイル部の両端に延長し且つ前記ガス栓から離反する方向に引っ張られることにより前記コイル部を弾性的に縮径させる一対の腕部とからなる金属線バネとし、
前記腕部の先端は前記耳部の係止孔にそれぞれ係止されている』ことが望ましい。
このものでは、揺動金具が前記挿入姿勢のとき、コイル部はガス栓本体より大径に巻回されており、揺動金具が挿通姿勢から取付姿勢へ９０度回動するとき、耳部に係止させた腕部の先端が回動方向に引っ張られることにより、コイル部が縮径方向に弾性変形するように設定されている。すなわち、揺動金具は、金属線バネの弾性復帰力によって、挿入姿勢に保持されることとなる。
【００１３】
上記埋設式ガス栓の取付構造において、『前記ケーシングは略円筒状に形成されると共に、その周壁のうち、対向する両側壁に、相互に平行に位置する平面部が形成され、この平面部側に位置する前記鍔部の各位置に前記締付けネジを挿通させるネジ挿通孔がそれぞれ形成され、
一対の締付けネジの各々に前記揺動金具と前記付勢手段を具備させている』ものが望ましい。
ケーシングを略円筒状とすることで、壁板や床板に形成するガス栓取付用孔を、ホールソーを使って円形に形成することができるから、施工の作業性が良い。この円形のガス栓取付用孔にケーシングを挿入すると、ケーシングの対向する両側壁を構成する平面部と円形のガス栓取付用孔の周縁との間に、比較的広い隙間が生じる。この隙間に対応する鍔部にネジ挿通孔が形成され、これに、揺動金具やナット金具を具備させた締付けネジが挿通されると共に、揺動金具は、付勢手段によって、挿入姿勢に保持された状態に付勢される態様となるため、ケーシングをガス栓取付用孔に挿入するとき、揺動金具やナット金具がガス栓取付用孔に引っ掛かることがなく、ケーシングのガス栓取付用孔への挿入が容易となる。
また、締付けネジを締付けて揺動金具を移動させる際に、ガイド板を平面部に沿わせることができるから、揺動金具をスムーズに且つ真っ直ぐに移動させることができると共に、ケーシングは、鍔部のうち、対向する２か所で挟圧されることとなるから、ケーシングを安定した状態でガス栓取付用孔内に固定させることができる。
【００１４】
なお、上記埋設式ガス栓の取付構造において、『前記ケーシングの深さ方向に沿った前記平面部の中心線上に、締付けネジのネジ軸が嵌入可能な凹溝が形成されると共に、前記ガイド板の前記平面部に沿う側の面に、前記凹溝に摺動可能に嵌り込む凸条が形成されている』ものが望ましい。
このものでは、揺動金具を締付けネジの先端にナット金具と共に具備させた状態で挿入姿勢に付勢させると、ネジ軸の一部が凹溝に嵌入可能となるから、締付けネジを、凹溝の深さ分、ケーシング側へ大きく揺動させた状態に付勢させることができる。
また、締付けネジの締付けによって、ガイド板に設けた凸条をケーシングの両側壁に設けた凹溝内に嵌め込んだ状態で揺動金具を鍔部側に移動させることができるので、添設板が壁板や床板の裏面に対して歪むことなくまっすぐに取付姿勢を保持したまま引き上げることができる。
【００１５】
さらに、上記埋設式ガス栓の取付構造において、『ケーシングの底壁にガス栓本体を挿通させるためのガス栓挿通孔が形成され、前記ガス栓本体を取り付けるためのガス栓取付部は、前記ガス栓本体と前記ガス栓挿通孔との隙間を閉塞するように、前記ケーシングの底壁に設けられる』ことが望ましい。
このものでは、ケーシングの底壁に形成されるガス栓挿通孔からの通気を、ガス栓取付部によって遮断する構成としたから、ガス栓挿通孔から底壁の裏側の冷気や塵芥がケーシング内に侵入してくることはない。また、前記ガス栓本体と前記ガス栓挿通孔との隙間から小物等をケーシングの裏側へ落とす不都合もない。
【発明の効果】
【００１６】
付勢手段によって、揺動金具の略全体が、ケーシングの底壁の裏側に位置させる挿入姿勢に保持された状態に付勢されると共に、締付けネジもケーシングの周壁側に揺動された状態で保持されるから、締付けネジや揺動金具やナット金具を具備させた状態のケーシングをガス栓取付用孔内に容易に落とし込んで固定することができる。よって、ケーシングの周壁に、締付けネジや添設板等を逃がすための逃がし孔を設ける必要がないから、室内と、壁板又は床板の裏面との通気が連通することなく、壁板や床板の裏側の冷気が室内に侵入する不都合を確実に防止することができる。
また、締付けネジを締付けるだけで、揺動金具を、付勢手段の付勢力に抗して９０度回動させて、ガイド板がケーシングの周壁に沿い且つ添設板が壁板や床板に平行となる取付姿勢と姿勢変更することができ、この取付姿勢のまま壁板や床板の裏面に向かって移動させて、鍔部と添設板で壁板や床板を挟圧させてケーシングを取り付けることができるので、ケーシングのガス栓取付用孔への取付作業が容易となり、施工性が向上する。
さらに、施工後の取付方向の変更やガス栓のメンテナンスにおいても、締付けネジを初期位置まで緩めるだけで揺動金具を初期位置（挿入姿勢）に復帰させることができ、ガス栓本体をガス配管と共に容易に引き出すことができるので、メンテナンス性に優れたものとなる。
【００１７】
また、付勢手段として金属線バネを採用したものでは、金属線バネの一端を揺動金具に設けた耳部の一方に係止孔に係止し、ガス栓本体に１回以上巻回させた後に、他端を耳部の他方の係止孔に係止させるだけで取付けられるから、付勢手段の構造及び取付けが簡単であり、揺動金具を、金属線バネの両腕部の先端が係止可能な構成とすれば、施工後長期間経過しても金属線バネは劣化や破損することがないので、ガス栓の交換やメンテナンス等を行う際にも締付けネジを初期位置まで緩めさえすれば揺動金具が初期位置（挿入姿勢）に復帰させることができ、ガス栓をガス配管とともに引き出すことができる。
【図面の簡単な説明】
【００１８】
【図１】本発明の実施の形態における埋設式ガス栓の取付状態を示す断面図である。
【図２】本発明の実施の形態における埋設式ガス栓の取付構造に採用したケーシングの底面図である。
【図３】本発明の実施の形態における埋設式ガス栓の取付構造における揺動金具の様子を示す説明図である。
【図４】本発明の実施の形態における埋設式ガス栓の取付構造に採用した揺動金具とナット金具を示す斜視図である。
【図５】従来の埋設式ガス栓の取付構造を示す断面図である。
【図６】図５に示す従来の埋設式ガス栓の取付構造の一部切欠側面図である。
【発明を実施するための形態】
【００１９】
以下、本願発明の実施の形態を、図面に基づいて説明する。
この実施の形態に採用するガス栓は、図１に示すように、下流端にソケット接続用のプラグ部(2a)が接続されていると共に、上流端にガス配管(41)が接続される配管接続筒部(2b)が形成されている略Ｌ字状のガス栓本体(2)からなり、ケーシング(20)の底壁(20a)には、ガス栓本体(2)の前記下流端側がちょうど挿通可能な大きさのガス栓挿通孔(22)が形成されている。
ガス栓本体(2)の前記下流端側の周面の所定位置には、図２に示すように、対向位置にそれぞれネジ孔(24a)が形成されたガス栓取付部(24)が張り出していると共に、ネジ孔(24a)に対応するケーシング(20)の底壁(20a)の所定箇所には、ネジ挿通孔（図示せず）が形成されている。
【００２０】
上記した構成のガス栓本体(2)をケーシング(20)内に固定するには、底壁(20a)の裏面側から、プラグ部(2a)とガス栓本体(2)の下流端側をガス栓挿通孔(22)に差込み、プラグ部(2a)をケーシング(20)内に突出させる。そして、ネジ孔(24a)がケーシング(20)の底壁(20a)の前記ネジ挿通孔に各々対応するように、底壁(20a)の裏面にガス栓取付部(24)を当接させて、底壁(20a)の表面から固定ネジ(241)をネジ孔(24a)にそれぞれ螺合させる。ガス栓挿通孔(22)は、ガス栓取付部(24)より下流側のガス栓本体(2)の下流端側がちょうど挿通可能な大きさに設定されていると共に、ガス栓挿通孔(22)とガス栓本体(2)の下流端側の周面との間を閉塞するように、ガス栓取付部(24)が底壁(20a)の裏面に取り付けられる態様となるから、ケーシング(20)の底壁(20a)からの通気は確実に遮断される。
【００２１】
なお、床板(4)の所定位置には、ホールソーによりガス栓取付用孔(40)を形成し、このガス栓取付用孔(40)から、予め床下に配管されているガス配管(41)を室内に引き出し、室内にて、ガス栓本体(2)の配管接続筒部(2b)に接続させる。
【００２２】
ケーシング(20)は、床板(4)に形成されたガス栓取付用孔(40)内に落とし込み可能な上方開放の略円筒形の筒体であって、その周面の相互に対向する両側壁に、図２に示すように、平面部(251)(252)が形成されている。また、ケーシング(20)の上方開放端縁には、ガス栓取付用孔(40)の周縁に係止させるための略正方形状の外形を有する鍔部(21)が四方に張り出している。
この鍔部(21)のうち、平面部(251)(252)側に続く各位置には、ネジ挿通孔(261)(262)がそれぞれ形成されている。
【００２３】
上記要領にて、ケーシング(20)の底壁(20a)にガス栓本体(2)を固定させた後、ガス栓本体(2)のうち、底板(20a)より外側に突出している部分に、付勢手段として、２本の金属線バネ(5a)(5b)を巻回させる。
一方の金属線バネ(5a)は、図２の実線で示すように、一方の平面部(251)側からガス栓本体(2)に、余裕をもって１〜２回巻回させた後、その先端を同じ平面部(251)側へ延長させておく。これにより、ガス栓本体(2)に巻回させたコイル部(50)と、その両側から一方の平面部(251)側に同様に延びる一対の腕部(51)(51)とによって、金属線バネ(5a)が形成され、腕部(51)(51)を同時にガス栓本体(2)から離反する方向に引っ張ることにより、コイル部(50)は縮径方向に弾性変形するように設定されている。
なお、他方の金属線バネ(5b)は、同図の二点鎖線に示すように、他方の平面部(252)側に腕部(51)(51)が突出するように、ガス栓本体(2)に巻回させてコイル部(50)を形成している。
【００２４】
そして、ネジ挿通孔(261)(262)に挿通させる各締付けネジ(16)のネジ軸には、図３及び図４に示すように、略Ｌ字状の揺動金具(1)を具備させると共にその下方にはナット金具(13)を螺合させる。
なお、各平面部(251)(252)の深さ方向に沿った中心線上には、締付けネジ(16)のネジ軸が嵌入可能な幅の凹溝(25a)がそれぞれ形成されている。
【００２５】
揺動金具(1)は、図４の実線に示すように、鍔部(21)に平行に位置する添設板(11)と、これの、ケーシング(20)の平面部(251)(252)側に位置する一端辺から垂下するガイド板(12)とから略Ｌ字状体が形成されると共に、ガイド板(12)の両側辺から直角に且つ添設板(11)と同方向に一対の耳部(10)を突設させた形状を呈している。なお、各耳部(10)の先端近傍には、係止孔(10a)がそれぞれ貫通していると共に、添設板(11)とガイド板(12)の境界部分に、締付けネジ(16)のネジ軸が、移動自在に挿通可能な幅を有するネジ挿通孔(19)が貫通している。
また、ガイド板(12)の、平面部(251)(252)に接触する側の面には、凹溝(25a)に嵌入可能な凸条(12a)が突設されている（図４の点線で示す揺動金具(1)参照）。
【００２６】
ナット金具(13)は、同図に示すように、締付けネジ(16)のネジ軸が螺合可能なネジ筒部(13a)と、その両側に張り出している一対の張出板(13b)(13b)とで構成されており、揺動金具(1)の下方に位置して、揺動金具(1)を締付けネジ(16)に対して抜け止め状態に保持している。
【００２７】
底壁(20a)にガス栓本体(2)が貫通状態に固定され、鍔部(21)の一対のネジ挿通孔(261)(262)に締付けネジ(16)(16)をそれぞれ挿通させ、各締付けネジ(16)のネジ軸を揺動金具(1)のネジ挿通孔(19)に挿通させた後に、ナット金具(13)のネジ筒部(13a)をネジ軸の先端に螺合させる。
揺動金具(1)の姿勢を、図３のケーシング(20)の右側又は図４の下側の二点鎖線に示すように、ガイド板(12)を底壁(20a)の裏面に沿って位置させると共に添設板(11)が締付けネジ(16)のネジ軸に沿ってその先端側を向く挿入姿勢とし、ガイド板(12)の基端部近傍をナット金具(13)の張出板(13b)(13b)の上端で支持させる。
【００２８】
この挿入姿勢で、金属線バネ(5a)(5b)の一方の腕部(51)の先端を、揺動金具(1)の一方の耳部(10)の係止孔(10a)に外側から内側へ挿通させた後、略Ｕ字状に屈曲させて抜け止め状態に係止させ、同様に、他方の腕部(51)の先端を、他方の耳部(10)の係止孔(10a)に外側から内側へ挿通させた後、略Ｕ字状に屈曲させて抜け止め状態に係止させる。
これにより、図３のケーシング(20)の右側に示すように、耳部(10) (10)に係止させた金属線バネ(5b)によって、揺動金具(1)がガス栓本体(2)側へ引っ張られることにより、締付けネジ(16)は平面部(252)側へ揺動させられ、締付けネジ(16)のネジ軸が平面部(252)の凹溝(25a)内に嵌り込むと共に、揺動金具(1)の殆ど全体がケーシング(20)の底壁(20a)の下方に位置する挿入姿勢が保持されるように設定されている。
【００２９】
ケーシング(20)の両側に位置する一対の締付けネジ(16)の各々に具備させた揺動金具(1)を共に、前記挿入姿勢に付勢させた状態で、ケーシング(20)をガス栓取付用孔(40)内に挿入すれば、揺動金具(1)等が邪魔になることなく、ケーシング(20)をガス栓取付用孔(40)内に落とし込むことができ、鍔部(21)をガス栓取付用孔(40)の周縁に係止させることができる。
【００３０】
揺動金具(1)を上記挿入姿勢にて、ケーシング(20)をガス栓取付用孔(40)内に落とし込んだ後、締付けネジ(16)を締付けると、ナット金具(13)は、張出板(13b)(13b)が添設板(11)に当接するため締付けネジ(16)と共回りすることなく、締付けネジ(16)の締付けに伴って上方へ移動する。ナット金具(13)の上方への移動に伴って、揺動金具(1)は、ケーシング(20)の底壁(20a)の周縁から外側へはみ出している屈曲部分がナット金具(13)の張出板(13b)(13b)によって下方から押されることにより、ネジ挿通孔(19)に締付けネジ(16)のネジ軸を挿通させた状態で、金属線バネ(5a)(5b)の付勢力に抗して９０度回動させられ、図３のケーシング(20)の右側の姿勢から、左側下方の二点鎖線に示すように、ガイド板(12)が平面部(251)に沿い、添設板(11)が鍔部(21)及び床板(4)の裏面に平行に位置する取付姿勢となる。
揺動金具(1)が９０度回動することにより、金属線バネ(5a)の両腕部(51)(51)が引っ張られ、コイル部(50)の直径が、同図の二点鎖線に示すように、弾性的に縮径させられることにより、揺動金具(1)に弾性復帰力が作用することとなる。
この取付姿勢にて、締付けネジ(16)をさらに締付けると、ナット金具(13)の張出板(13b)(13b)がガイド板(12)に当接することよって回動阻止状態となるため、締付けネジ(16)の締付けに伴って、ナット金具(13)は揺動金具(1)を押し上げながら、さらに上方へ移動していき、ガイド板(12)の凸条(12a)が平面部(251)の凹溝(25a)に嵌り込んだ姿勢のまま、添設板(11)が、床板(4)の裏面に到達することとなる。
【００３１】
締付けネジ(16)の最終締付け状態にて、床板(4)は、図３のケーシング(20)の左側上方の実線に示す揺動金具(1)の添設板(11)と、鍔部(21)とで表裏から挟圧されることとなり、ケーシング(20)はガス栓取付用孔(40)内に落とし込んだ状態に固定されることとなる。
なお、金属線バネ(5a)(5b)の長さは、耳部(10)(10)に腕部(51)(51)の先端を係止させた状態で、揺動金具(1)を挿入姿勢から取付姿勢とし、さらに、添設板(11)が床板(4)のガス栓取付用孔(40)の周辺の裏側に添設されるまで引き上げられるのに十分足りる長さに設定されている。
【００３２】
その後、図１に示すように、ケーシング(20)内に、ソケットの着脱ユニット(15)を収容した後に、ケーシング(20)の鍔部(21)の表面を上方から全体的に包囲するように、化粧板(42)を床板(4)の表面に添設させて、埋設式ガス栓の床板(4)への取り付けが完了する。
この化粧板(42)の中央部には、着脱ユニット(15)の開閉蓋(15a)がちょうど露出する大きさの窓部(43)が開放している。
【００３３】
本発明の実施の形態に係るケーシング(20)の周壁及び底壁(20a)には、逃がし孔や切欠、又は、隙間等が形成されない構成としているから、プラグ筒(23)にソケットを接続させる際に、開閉蓋(15a)を開放させても、床板(4)の下方の冷気が、ケーシング(20)を介して、化粧板(42) の窓部(43)から室内に流れ込む不都合がない。
なお、上記実施の形態では、床板埋設式のガス栓の取付構造について説明したが、壁板にでも同様に設置可能であることは言うまでもない。
【符号の説明】
【００３４】
(1) ・・・・・・・・揺動金具
(11)・・・・・・・・添設板
(12)・・・・・・・・ガイド板
(13)・・・・・・・・ナット金具
(16)・・・・・・・・締付けネジ
(2) ・・・・・・・・ガス栓本体
(20)・・・・・・・・ケーシング
(20a) ・・・・・・・底壁
(21)・・・・・・・・鍔部
(4) ・・・・・・・・床板
(40)・・・・・・・・ガス栓取付用孔
(5a)(5b)・・・・・・金属線バネ（付勢手段）
【図１】
0006509078.tif 000002
【図２】
0006509078.tif 000003
【図３】
0006509078.tif 000004
【図４】
0006509078.tif 000005
【図５】
0006509078.tif 000006
【図６】
0006509078.tif 000007